(57)【要約】【課題】同じ編集内容の複数回のダビングを簡単に行うことができるようにする。【解決手段】ユーザによりダビングが指令されると、ディスクレコーダ１２は、ネットワーク１３を介して、カメラ一体型ビデオテープレコーダ１１から、画像データを受信し、光ディスクに記録する。ユーザにより編集が指令されると、ディスクレコーダ１２は、光ディスクに記録した画像データを編集し、編集後の画像データを光ディスクに記録する。ディスクレコーダ１２は、画像ファイルの編集情報を記憶する。ユーザにより新しい光ディスクへのダビングが指令されると、ディスクレコーダ１２は、記憶された編集情報に基づいて、ダビングする画像を、ネットワーク１３を介して、デジタルカメラ１１から受信し、記録する。本発明は、ディスクレコーダに適用することができる。【選択図】      図１
2004171719.tif 000002
【特許請求の範囲】
【請求項１】
コンテンツを編集するコンテンツ編集装置において、
前記コンテンツの送信を他の装置に要求する要求手段と、
前記他の装置から前記コンテンツを受信する受信手段と、
前記受信手段により受信された前記コンテンツを第１の記録媒体に記録する記録手段と、
前記コンテンツを編集し、編集情報を生成する編集手段と、
前記編集情報を記憶する記億手段とを備え、
前記要求手段は、前記記億手段により記憶された前記編集情報に基づいて、前記他の装置に対して前記コンテンツの送信をさらに要求し、前記記録手段は、前記記億手段により記憶された前記編集情報に基づいて送信が要求された前記コンテンツを、第２の記録媒体に記録する
ことを特徴とするコンテンツ編集装置。
【請求項２】
前記コンテンツ編集装置と前記他の装置は、ＩＥＥＥ１３９４のネットワークを介して前記コンテンツを授受する
ことを特徴とする請求項１に記載のコンテンツ編集装置。
【請求項３】
前記他の装置は、カメラ一体型ビデオテープレコーダであり、
前記コンテンツ編集装置は、ディスクレコーダである
ことを特徴とする請求項１に記載のコンテンツ編集装置。
【請求項４】
コンテンツを編集するコンテンツ編集装置のコンテンツ編集方法において、
前記コンテンツの送信を他の装置に要求する第１の要求ステップと、
前記他の装置から前記コンテンツを受信する受信ステップと、
前記受信ステップの処理により受信された前記コンテンツを第１の記録媒体に記録する第１の記録ステップと、
前記コンテンツを編集し、編集情報を生成する編集ステップと、
前記編集情報を記憶する記億ステップと、
前記記億ステップの処理により記憶された前記編集情報に基づいて、前記他の装置に対して前記コンテンツの送信をさらに要求する第２の要求ステップと、
前記記億ステップの処理により記憶された前記編集情報に基づいて送信が要求された前記コンテンツを、第２の記録媒体に記録する第２の記録ステップと
を含むことを特徴とするコンテンツ編集方法。
【請求項５】
コンテンツの送信を他の装置に要求する第１の要求ステップと、
前記他の装置から前記コンテンツを受信する受信ステップと、
前記受信ステップの処理により受信された前記コンテンツを第１の記録媒体に記録する第１の記録ステップと、
前記コンテンツを編集し、編集情報を生成する編集ステップと、
前記編集ステップの処理により生成された前記編集情報に基づいて、前記他の装置に対して前記コンテンツの送信をさらに要求する第２の要求ステップと、
前記編集ステップの処理により生成された前記編集情報に基づいて送信が要求された前記コンテンツを、第２の記録媒体に記録する第２の記録ステップと
を含むことを特徴とするコンピュータが読み取り可能なプログラムが記録されている記録媒体。
【請求項６】
コンテンツの送信を他の装置に要求する第１の要求ステップと、
前記他の装置から前記コンテンツを受信する受信ステップと、
前記受信ステップの処理により受信された前記コンテンツを第１の記録媒体に記録する第１の記録ステップと、
前記コンテンツを編集し、編集情報を生成する編集ステップと、
前記編集ステップの処理により生成された前記編集情報に基づいて、前記他の装置に対して前記コンテンツの送信をさらに要求する第２の要求ステップと、
前記編集ステップの処理により生成された前記編集情報に基づいて送信が要求された前記コンテンツを、第２の記録媒体に記録する第２の記録ステップと
をコンピュータに実行させることを特徴とするプログラム。
【発明の詳細な説明】
【０００１】
【発明の属する技術分野】
本発明は、コンテンツ編集装置および方法、記録媒体、並びにプログラムに関し、特に、簡単に、編集されたコンテンツを複数の記録媒体に記録することができるようにしたコンテンツ編集装置および方法、記録媒体、並びにプログラムに関する。
【０００２】
【従来の技術】
自動編集を行う画像編集装置が、例えば、特許文献１に開示されている。この画像編集装置では、メモリに記憶された編集データに基づいて、画像データがダビングされる。
【０００３】
【特許文献１】
特開平５−５４６０２号公報（図９）
【０００４】
【発明が解決しようとする課題】
しかしながら、特許文献１の画像編集装置においては、編集データは１度のダビングにのみ用いられ、複数回のダビングが行われる場合、再び編集を行い、編集データを記憶する必要がある。
【０００５】
したがって、特許文献１の画像編集装置では、同じ編集内容を異なる記録媒体に記録する場合においても、再度、編集処理を行う必要があり、操作が複雑で、同じ編集内容のコンテンツを複数の異なる記録媒体に記録するのに時間を要するという課題があった。
【０００６】
本発明はこのような状況に鑑みてなされたものであり、簡単に、同じ編集内容のコンテンツを、迅速に記録媒体に記録することができるようにすることを目的とする。
【０００７】
【課題を解決するための手段】
本発明のコンテンツ編集装置は、コンテンツの送信を他の装置に要求する要求手段と、他の装置からコンテンツを受信する受信手段と、受信手段により受信されたコンテンツを第１の記録媒体に記録する記録手段と、コンテンツを編集し、編集情報を生成する編集手段と、編集情報を記憶する記億手段とを備え、要求手段は、記億手段により記憶された編集情報に基づいて、他の装置に対してコンテンツの送信をさらに要求し、記録手段は、記億手段により記憶された編集情報に基づいて送信が要求されたコンテンツを、第２の記録媒体に記録することを特徴とする。
【０００８】
コンテンツ編集装置と他の装置は、ＩＥＥＥ１３９４のネットワークを介してコンテンツを授受するようにすることができる。
【０００９】
他の装置は、カメラ一体型ビデオテープレコーダであり、コンテンツ編集装置は、ディスクレコーダであるようにすることができる。
【００１０】
本発明のコンテンツ編集方法は、コンテンツの送信を他の装置に要求する第１の要求ステップと、他の装置からコンテンツを受信する受信ステップと、受信ステップの処理により受信されたコンテンツを第１の記録媒体に記録する第１の記録ステップと、コンテンツを編集し、編集情報を生成する編集ステップと、編集情報を記憶する記億ステップと、記億ステップの処理により記憶された編集情報に基づいて、他の装置に対してコンテンツの送信をさらに要求する第２の要求ステップと、記億ステップの処理により記憶された編集情報に基づいて送信が要求されたコンテンツを、第２の記録媒体に記録する第２の記録ステップとを含むことを特徴とする。
【００１１】
本発明の記録媒体のプログラムは、コンテンツの送信を他の装置に要求する第１の要求ステップと、他の装置からコンテンツを受信する受信ステップと、受信ステップの処理により受信されたコンテンツを第１の記録媒体に記録する第１の記録ステップと、コンテンツを編集し、編集情報を生成する編集ステップと、編集ステップの処理により生成された編集情報に基づいて、他の装置に対してコンテンツの送信をさらに要求する第２の要求ステップと、編集ステップの処理により生成された編集情報に基づいて送信が要求されたコンテンツを、第２の記録媒体に記録する第２の記録ステップとを含むことを特徴とする。
【００１２】
本発明のプログラムは、コンテンツの送信を他の装置に要求する第１の要求ステップと、他の装置からコンテンツを受信する受信ステップと、受信ステップの処理により受信されたコンテンツを第１の記録媒体に記録する第１の記録ステップと、コンテンツを編集し、編集情報を生成する編集ステップと、編集ステップの処理により生成された編集情報に基づいて、他の装置に対してコンテンツの送信をさらに要求する第２の要求ステップと、編集ステップの処理により生成された編集情報に基づいて送信が要求されたコンテンツを、第２の記録媒体に記録する第２の記録ステップとをコンピュータに実行させることを特徴とする。
【００１３】
本発明においては、コンテンツの送信が他の装置に要求されると、他の装置からコンテンツが受信され、受信されたコンテンツが第１の記録媒体に記録される。コンテンツは編集され、編集情報が生成され、記億される。記憶された編集情報に基づいて、他の装置に対してコンテンツの送信がさらに要求されると、記憶された編集情報に基づいて送信が要求されたコンテンツが、第２の記録媒体に記録される。
【００１４】
【発明の実施の形態】
以下、本発明の実施の形態について、図面を参照して説明する。図１は、本発明が適用された画像編集システムの構成例を示している。
【００１５】
この画像編集システムは、カメラ一体型ビデオテープレコーダ１１とディスクレコーダ１２から構成されている。カメラ一体型ビデオテープレコーダ１１とディスクレコーダ１２は、ｉ．ＬＩＮＫ（ＩＥＥＥ１３９４）等のネットワーク１３を介して接続されており、ディスクレコーダ１２が画像データの送信を要求すると、カメラ一体型ビデオテープレコーダ１１は、要求された画像データを、ネットワーク１３を介して、ディスクレコーダ１２に送信する。
【００１６】
ディスクレコーダ１２は、カメラ一体型ビデオテープレコーダ１１から、画像データを受信すると、画像データを光ディスクに記録し、画像データを編集する。このとき決定された編集情報に基づいて、ディスクレコーダ１２は、カメラ一体型ビデオテープレコーダ１１に画像データの送信を要求する。カメラ一体型ビデオテープレコーダ１１は、編集情報に基づいて、ディスクレコーダ１２に画像データを送信する。ディスクレコーダ１２は、カメラ一体型ビデオテープレコーダ１１から画像データを受信し、新しい光ディスクに記録する。
【００１７】
図２はカメラ一体型ビデオテープレコーダ１１の構成例を示している。カメラ一体型ビデオテープレコーダ１１は、操作入力部３９から入力されるユーザの指令に対応して各部を制御するＣＰＵ（Ｃｅｎｔｒａｌ  Ｐｒｏｃｅｓｓｉｎｇ  Ｕｎｉｔ）３２を内蔵している。ＣＰＵ３２は内蔵メモリ３１と接続されている。ＣＰＵ３２は、画像信号処理部３３、カメラ機能部３７、ＣＣＤ（ｃｈａｒｇｅ−ｃｏｕｐｌｅｄ  ｄｅｖｉｃｅ），ＣＭＯＳ（ｃｏｍｐｌｅｍｅｎｔａｒｙ  ｍｅｔａｌ−ｏｘｉｄｅ  ｓｅｍｉｃｏｎｄｕｃｔｏｒ）等よりなる光電変換部３４、およびネットワーク１３を介してデータを通信する通信部４０に接続されている。
【００１８】
画像信号処理部３３は、ビデオテープ３５に対する画像データの記録と再生を制御する。画像信号処理部３３には、液晶ディスプレイ４１が接続されている。光電変換部３４には、カメラ機能部３７により制御される光学レンズ部３８からの光が入射される。
【００１９】
図３はディスクレコーダ１２の構成例を示している。このディスクレコーダ１２は、ＣＰＵ６１を内蔵している。ＣＰＵ６１にはバス６４を介して、入出力インタフェース６５が接続されている。また、バス６４には、ＲＯＭ（Ｒｅａｄ  Ｏｎｌｙ  Ｍｅｍｏｒｙ）６２およびＲＡＭ（Ｒａｎｄｏｍ  Ａｃｃｅｓｓ  Ｍｅｍｏｒｙ）６３が接続されている。
【００２０】
入出力インタフェース６５には、光ディスク（例えば、ＣＤ−Ｒ、ＣＤ−ＲＷ、ＣＤ＋ＲＷ等の光ディスク）６６に対するデータの書き込みと読み出しを行うドライブ６７が接続されている。また、入出力インタフェース６５には、ユーザが操作するキーボード、マウス、スキャナ、マイクロホン等の入力デバイスで構成される操作入力部６８、ディスプレイ、スピーカ、プリンタ、プロッタ等の出力デバイスで構成される出力部６９が接続されている。さらに、入出力インタフェース６５には、プログラムや各種データを格納するハードディスクドライブ等よりなる記憶部７０、およびネットワーク１３を介してデータを通信する通信部７１が接続されている。
【００２１】
入出力インタフェース６５には、磁気ディスク８１、光ディスク８２、光磁気ディスク８３、半導体メモリ８４などの記録媒体に対してデータを読み書きするドライブ８０が必要に応じて接続される。
【００２２】
このディスクレコーダ１２に本発明を適用したコンテンツ編集装置としての動作を実行させるコンテンツ編集プログラムは、磁気ディスク８１（フロッピディスクを含む）、光ディスク８２（ＣＤ−ＲＯＭ（Ｃｏｍｐａｃｔ  Ｄｉｓｃ−Ｒｅａｄ  Ｏｎｌｙ  Ｍｅｍｏｒｙ）、ＤＶＤ（Ｄｉｇｉｔａｌ  Ｖｅｒｓａｔｉｌｅ  Ｄｉｓｃ）を含む）、光磁気ディスク８３（ＭＤ（Ｍｉｎｉ  Ｄｉｓｃ）を含む）、もしくは半導体メモリ８４に格納された状態でディスクレコーダ１２に供給され、ドライブ８０によって読み出されて、記憶部７０に内蔵されるハードディスクドライブにインストールされる。記憶部７０にインストールされた情報処理プログラムは、操作入力部６８に入力されるユーザからのコマンドに対応するＣＰＵ６１の指令によって、記憶部７０からＲＡＭ６３にロードされて実行される。
【００２３】
ディスクレコーダ１２が、カメラ一体型ビデオテープレコーダ１１のビデオテープ３５に記録されている画像を、光ディスク６６にダビングする処理を、図４を参照して説明する。
【００２４】
ユーザの操作入力部６８の操作によりダビングが指令されると、ステップＳ２１において、ディスクレコーダ１２のＣＰＵ６１は、通信部７１から、ネットワーク１３を介して、画像データの送信を要求する信号を、カメラ一体型ビデオテープレコーダ１１に送信する。ステップＳ１において、カメラ一体型ビデオテープレコーダ１１のＣＰＵ３２は、通信部４０を介して、ディスクレコーダ１２から、画像データの送信を要求する信号を受信する。
【００２５】
この要求を受信すると、ステップＳ２において、ＣＰＵ３２は、画像信号処理部３３を制御し、ビデオテープ３５に記録されている画像データを再生させ、通信部４０から、ネットワーク１３を介して、ディスクレコーダ１２に送信させる。なお、カメラ一体型ビデオテープレコーダ１１が転送する画像データは、例えば、次のようにして、ビデオテープ３５に、記録されたものである。即ち、ユーザが操作入力部３９を操作して撮像を指令すると、ＣＰＵ３２は、カメラ機能部３７を制御し、光学レンズ部３８を駆動し、撮像したい画像の光を光電変換部３４に入射させ、電気信号に変換させる。電気信号は画像信号処理部３３に供給され、圧縮符号化される。画像信号処理部３３は圧縮符号化した画像データを、ビデオテープ３５に供給し、記録させる。
【００２６】
ステップＳ２２において、ＣＰＵ６１は、通信部７１を介して、カメラ一体型ビデオテープレコーダ１１から、画像データを受信する。ステップＳ２３において、ＣＰＵ６１は、受信した画像データを、ドライブ６７を介して、光ディスク６６に記録する。ユーザの操作入力部６８の操作により画像ファイルの編集が指令されると、ＣＰＵ６１は、ステップＳ２４において、光ディスク６６に記録された画像ファイルを編集する。
【００２７】
ＣＰＵ６１が画像ファイルを編集する処理を、図５のフローチャートを参照して詳細に説明する。
【００２８】
ステップＳ４１において、ＣＰＵ６１は、ユーザの操作入力部６８の操作により、編集が指令されたか否かを判定する。編集が指令されたと判定された場合、ＣＰＵ６１は、処理をステップＳ４２に進め、ユーザからの指令に基づいて編集処理を実行する。即ち、例えば、ＣＰＵ６１は、光ディスク６６に記録された画像データ（ビデオテープ３５に記録されていた画像データ）を読み出し、出力部６９のディスプレイに表示させる。ユーザは、ディスプレイに表示された画像を見ながら、操作入力部６８を操作することによって、編集情報を決定する。
【００２９】
図６は、編集された画像データの例を示す図である。なお、斜線部は、削除された画像を示す。
【００３０】
ユーザの操作入力部６８の操作により、画像データ９１の開始点Ａと終了点Ｂ、画像データ９２の開始点Ｃと終了点Ｄ、および画像データ９３の開始点Ｅと終了点Ｆが選択される。即ち、斜線部は、削除される。また、ユーザは、画像データ９１乃至９３の順番を決定する。例えば、ユーザは、１番目のシーンを画像データ９２に決定し、２番目のシーンを画像データ９３に決定し、３番目のシーンを画像データ９１に決定する。これらの編集操作に対応する編集情報はＲＡＭ６３に記憶される。
【００３１】
ステップＳ４３において、ＣＰＵ６１は、決定された編集情報に基づき、光ディスク６６に記録された画像データを書き換える。例えば、図６に示されるように編集情報が決定された場合、読み出された画像データを図７に示されるような画像データに変更する。即ち、変更された画像データは、画像データ９２、画像データ９３、画像データ９１の順に記録される。なお、このとき、ＣＰＵ６１は、必要に応じて、光ディスク６６に記録されている画像データを読み出し、記憶部７０に一時的に記録する。そして、記憶部７０に記憶された画像データを所定の順番（編集された順番）で読み出し、光ディスク６６に記録させる。
【００３２】
ステップＳ４４において、ＣＰＵ６１は、ユーザによって決定された編集情報を光ディスク６６に記録する。
【００３３】
光ディスク６６に記録された編集情報の例を図８に示す。光ディスク６６には、１番目のシーン情報１０１、２番目のシーン情報１０２、３番目のシーン情報１０３・・・、ｎ番目のシーン情報１０ｎが順に記録される。それぞれのシーンは、シーン開始点１１１、およびシーン終了点１１２から構成されている。シーン開始点１１１とシーン終了点１１２は、例えば、編集したいシーンの開始時刻と終了時刻である。
【００３４】
例えば、図６に示されるように編集情報が決定された場合、１番目のシーン情報１０１のシーン開始点１１１には、開始点Ｃに対応する時刻が、シーン終了点１１２には、終了点Ｄに対応する時刻が記録される。同様に、２番目のシーン情報１０２のシーン開始点１１１には、開始点Ｅに対応する時刻が、シーン終了点１１２には、終了点Ｆに対応する時刻が記録される。３番目のシーン情報１０３のシーン開始点１１１には、開始点Ａに対応する時刻が、シーン終了点１１２には、終了点Ｂに対応する時刻がそれぞれ記録される。
【００３５】
ステップＳ４１において、編集が指令されていないと判定した場合、ＣＰＵ６１は、編集する必要がないので、処理を終了する。
【００３６】
本発明においては、以上のようにして編集された状態のビデオデータを、他の光ディスクにも記録することができる。図９は、この場合の処理を表している。
【００３７】
ステップＳ８１において、ＣＰＵ６１は、図５のステップＳ４４の処理で記録された編集情報（図８）を、光ディスク６６から読み出し、ＲＡＭ６３に記憶する。ステップＳ８２において、ＣＰＵ６１は、ディスク交換のメッセージ（既に編集された画像データが記録されている光ディスク６６を別の新たな光ディスク６６に交換することを促すメッセージ）を出力部６９のディスプレイに出力する。ユーザの操作入力部の操作によって、光ディスク６６が取り出され、新しい光ディスクが装着されると、ステップＳ８３において、ＣＰＵ６１は、通信部７１から、ネットワーク１３を介して、読み出された編集情報に基づいて、画像データの送信を要求する信号を、カメラ一体型ビデオテープレコーダ１１に送信する。
【００３８】
即ち、ＣＰＵ６１は、図８の１番目のシーン情報１０１のシーン開始点１１１とシーン終了点１１２に基づいて、画像データの送信を要求する。例えば、図６に示されるような編集情報の場合、画像データ９２の送信が要求される。
【００３９】
ステップＳ６１において、ＣＰＵ３２は、通信部４０を介して、ディスクレコーダ１２から出力された、編集情報に基づいて、画像データの送信を要求する信号を受信する。ステップＳ６２において、ＣＰＵ３２は、画像信号処理部３３を制御し、指定された範囲の画像データ（図６の例の場合、画像データ９２）を、ビデオテープ３５から再生させる。ＣＰＵ３２は、この画像データを、通信部４０から、ネットワーク１３を介して、ディスクレコーダ１２に送信させる。
【００４０】
ステップＳ８４において、ＣＰＵ６１は、通信部７１を介して、カメラ一体型ビデオテープレコーダ１１から、画像データを受信すると、ドライブ６７を介して、新しい光ディスク６６に記録させる。ステップＳ８５において、ＣＰＵ６１は、通信部７１から、ネットワーク１３を介して、編集情報（図８の２番目のシーン情報１０２のシーン開始点１１１とシーン終了点１１２）に基づいて、次の画像データ（図６の例の場合、画像データ９３）の送信を要求する。
【００４１】
ステップＳ６３において、ＣＰＵ３２は、通信部４０から、ディスクレコーダ１２から出力された、編集情報に基づいて、画像データの送信を要求する信号を受信する。ステップＳ６４において、ＣＰＵ３２は、ビデオテープ３５に記録された画像データのうち、要求された画像データ（図６の例の場合、画像データ９３）を再生させ、通信部４０から、ネットワーク１３を介して、ディスクレコーダ１２に送信させる。
【００４２】
ステップＳ８６において、ＣＰＵ６１は、通信部７１を介して、カメラ一体型ビデオテープレコーダ１１から、画像データを受信すると、ドライブ６７を介して、新しい光ディスク６６に記録させる。
【００４３】
以下、同様の処理が繰り返され、図８の１番目のシーン情報１０１のシーン開始点１１１から、ｎ番目のシーン情報１０ｎのシーン終了点１１２までの画像データが記録されると、処理は終了される。
【００４４】
このような編集ダビング処理が繰り返し行なわれることによって、同じ編集内容の光ディスクが迅速かつ大量に生産される。
【００４５】
このように、本発明においては、編集情報をＲＡＭ６３に記憶し、その編集情報に基づいてダビングすることができるので、一度の編集で、簡単かつ迅速に、同じ編集内容のコンテンツを、複数回、ダビングすることができる。
【００４６】
なお、以上の例においては、編集情報を光ディスク６６に記録させたが、記憶部７０に記億させてもよい。また、編集する情報は、ビデオ情報に限らず、オーディオ情報、その他のコンテンツ情報とすることができる。
【００４７】
また、本明細書において、記録媒体に記録されるプログラムを記述するステップは、記載された順序に沿って時系列的に行われる処理はもちろん、必ずしも時系列的に処理されなくとも、並列的あるいは個別に実行される処理をも含むものである。
【００４８】
【発明の効果】
以上のように、本発明によれば、編集したコンテンツをダビングすることができる。また、簡単かつ迅速に、同じ編集内容のコンテンツを複数回、ダビングすることができる。
【図面の簡単な説明】
【図１】本発明を適用した画像編集システムの実施の形態の構成を示すブロック図である。
【図２】図１のカメラ一体型ビデオテープレコーダの構成を示すブロック図である。
【図３】図１のディスクレコーダの構成を示すブロック図である。
【図４】図１の画像編集システムが画像データをダビングする処理を説明する図である。
【図５】図３のディスクレコーダが編集する処理を説明するフローチャートである。
【図６】編集情報の例を示す図である。
【図７】図３の光ディスクに記録される編集後の画像データの例を示す図である。
【図８】図３の光ディスクに記録される編集情報の例を示す図である。
【図９】図３のディスクレコーダが編集情報に基づいて、ダビングする処理を説明する図である。
【符号の説明】
１１  カメラ一体型ビデオテープレコーダ，  １２  ディスクレコーダ，  １３  ネットワーク，  ３１  内蔵メモリ，  ３２  ＣＰＵ，  ３３  画像信号処理部，  ３４  光電変換部，  ３５  ビデオテープ，  ３７  カメラ機能部，  ３８  光学レンズ部，  ３９  操作入力部，  ４０  通信部，  ４１  液晶ディスプレイ，  ６１  ＣＰＵ，  ６２  ＲＯＭ，  ６３  ＲＡＭ，  ６４  バス，  ６５  入出力インタフェース，  ６６  光ディスク，  ６７  ドライブ，  ６８  操作入力部，  ６９  出力部，  ７０  記憶部，  ７１  通信部
【図１】
2004171719.tif 000003
【図２】
2004171719.tif 000004
【図３】
2004171719.tif 000005
【図４】
2004171719.tif 000006
【図５】
2004171719.tif 000007
【図６】
2004171719.tif 000008
【図７】
2004171719.tif 000009
【図８】
2004171719.tif 000010
【図９】
2004171719.tif 000011